(57)【要約】【課題】複数のユーザが異なる時間帯に同一の車両や施設を利用する際の利用予約をサードパーティアプリから受け付ける場合に、車両又は施設の施錠及び解錠に用いる認証情報の外部への流出を抑制することが可能な施解錠システム等を提供すること。【解決手段】携帯端末は、所定のサーバと異なる他のサーバと通信し車両又は施設の利用予約サービスを提供するアプリケーションプログラムの実行中に第１の操作が行われた場合、アプリケーションプログラムからの呼び出しに応じて、所定のサーバに対して、車両又は施設を施錠及び解錠するための認証情報を要求する第１送信部と、所定のサーバから認証情報を受信する第１受信部と、アプリケーションプログラムの実行中に第２の操作が行われた場合、アプリケーションプログラムからの呼び出しに応じて、認証情報を含む、車両又は施設に対して施錠又は解錠を要求する第２送信部と、を備える。【選択図】図３
2018003331.tif 000002
【特許請求の範囲】
【請求項１】
携帯端末と、前記携帯端末と通信可能なサーバと、を含む施解錠システムであって、
前記携帯端末は、
前記サーバと異なる他のサーバと通信し、車両又は施設の利用予約サービスを提供するサービス提供部と、
前記サービス提供部による前記利用予約サービスを提供する処理の実行中に第１の操作が行われた場合、前記サービス提供部の呼び出しに応じて、前記サーバに対して、前記車両又は前記施設の施錠及び解錠に用いる認証情報を要求する第１の信号を送信する第１送信部と、
前記サーバから前記認証情報を受信する第１受信部と、
前記サービス提供部による前記利用予約サービスを提供する処理の実行中に第２の操作が行われた場合、前記サービス提供部の呼び出しに応じて、前記認証情報を含む、前記車両又は前記施設の施錠又は解錠を要求する第２の信号を、前記車両又は前記施設に設けられる所定の装置に対して送信する第２送信部と、を備え、
前記サーバは、
前記携帯端末から前記第１の信号を受信する第２受信部と、
前記第２受信部が前記第１の信号を受信した場合、前記携帯端末に前記認証情報を含む第３の信号を送信する第３送信部と、を備える、
施解錠システム。
【請求項２】
車両又は施設の施錠及び解錠に用いる認証情報が格納されるサーバと通信可能な携帯端末であって、
前記サーバと異なる他のサーバと通信し、前記車両又は前記施設の利用予約サービスを提供するサービス提供部と、
前記サービス提供部による前記利用予約サービスを提供する処理の実行中に第１の操作が行われた場合、前記サービス提供部の呼び出しに応じて、前記サーバに対して、前記認証情報を要求する第１の信号を送信する第１送信部と、
前記サーバから前記認証情報を受信する第１受信部と、
前記サービス提供部による前記利用予約サービスを提供する処理の実行中に第２の操作が行われた場合、前記サービス提供部の呼び出しに応じて、前記認証情報を含む、前記車両又は前記施設の施錠又は解錠を要求する第２の信号を、前記車両又は前記施設に設けられる所定の装置に対して送信する第２送信部と、を備える、
携帯端末。
【請求項３】
サービス提供部と、第１送信部と、第１受信部と、第２送信部と、を備え、車両又は施設の施錠及び解錠に用いる認証情報が格納されるサーバと通信可能な携帯端末が実行する施解錠方法であって、
前記サービス提供部が、前記サーバと異なる他のサーバと通信し、前記車両又は前記施設の利用予約サービスを提供するサービス提供ステップと、
前記第１送信部が、前記サービス提供部による前記利用予約サービスを提供する処理の実行中に第１の操作が行われた場合、前記サービス提供部の呼び出しに応じて、前記サーバに対して、前記認証情報を要求する第１の信号を送信する第１送信ステップと、
前記第１受信部が、前記サーバから前記認証情報を受信する第１受信ステップと、
前記第２送信部が、前記サービス提供部による前記利用予約サービスを提供する処理の実行中に第２の操作が行われた場合、前記サービス提供部の呼び出しに応じて、前記認証情報を含む、前記車両又は前記施設の施錠又は解錠を要求する第２の信号を、前記車両又は前記施設に設けられる所定の装置に対して送信する第２送信ステップと、を含む、
施解錠方法。
【発明の詳細な説明】
【技術分野】
【０００１】
本発明は、施解錠システム等に関する。
【背景技術】
【０００２】
車両を解錠するための認証情報をネットワーク経由でサーバから携帯端末で受信し、該携帯端末を電子キーとして利用可能な鍵管理システムが開示されている（例えば、特許文献１等参照）。
【０００３】
かかる構成を利用することにより、例えば、レンタカー、シェアカー、社用車等のように、複数のユーザが異なる時間帯に同一の車両を利用するような場合に、電子キーの受け渡し等の手間を省くことが可能となり、ユーザの利便性が向上する。
【０００４】
また、同様の技術は、複数のユーザが異なる時間帯に利用する同一の施設（例えば、会議室、保養所、体育館等）の施解錠にも用いることが可能であり、施設に設置された施解錠装置に対して、携帯端末を電子キーとして用いることにより、ユーザの利便性が向上する。
【先行技術文献】
【特許文献】
【０００５】
【特許文献１】特開２００６−１１８１２２号公報
【発明の概要】
【発明が解決しようとする課題】
【０００６】
ところで、例えば、サードパーティ等が作成した、車両又は施設の利用予約が可能な携帯端末用のアプリケーションプログラム（既存アプリ）が既に存在する場合、該既存アプリを利用して、車両又は施設の利用予約を受け付けることもありうる。
【０００７】
しかしながら、既存アプリに対応するサーバに、認証情報を格納し、該サーバから利用予約を行ったユーザに認証情報を送信する構成の場合、サードパーティ等のサーバに認証情報が格納されるため、セキュリティの観点から改善の余地がある。
【０００８】
そこで、上記課題に鑑み、複数のユーザが異なる時間帯に同一の車両や施設を利用する際の利用予約を既存のアプリから受け付ける場合に、車両又は施設の施錠及び解錠に用いる認証情報の外部への流出を抑制することが可能な施解錠システム等を提供することを目的とする。
【課題を解決するための手段】
【０００９】
上記目的を達成するため、本発明の一実施形態では、
携帯端末と、前記携帯端末と通信可能なサーバと、を含む施解錠システムであって、
前記携帯端末は、
前記サーバと異なる他のサーバと通信し、車両又は施設の利用予約サービスを提供するサービス提供部と、
前記サービス提供部による前記利用予約サービスを提供する処理の実行中に第１の操作が行われた場合、前記サービス提供部の呼び出しに応じて、前記サーバに対して、前記車両又は前記施設の施錠及び解錠に用いる認証情報を要求する第１の信号を送信する第１送信部と、
前記サーバから前記認証情報を受信する第１受信部と、
前記サービス提供部による前記利用予約サービスを提供する処理の実行中に第２の操作が行われた場合、前記サービス提供部の呼び出しに応じて、前記認証情報を含む、前記車両又は前記施設の施錠又は解錠を要求する第２の信号を、前記車両又は前記施設に設けられる所定の装置に対して送信する第２送信部と、を備え、
前記サーバは、
前記携帯端末から前記第１の信号を受信する第２受信部と、
前記第２受信部が前記第１の信号を受信した場合、前記携帯端末に前記認証情報を含む第３の信号を送信する第３送信部と、を備える、
施解錠システムが提供される。
【００１０】
上述の実施形態によれば、携帯端末の第１送信部は、車両又は施設の利用予約サービスを提供するサービス提供部（既存アプリ）からの呼び出しに応じて、既存アプリが接続する他のサーバとは異なるサーバに車両又は施設の解錠に用いる認証情報を要求する。そして、携帯端末の第１受信部は、当該サーバから認証情報を受信する。従って、認証情報は、既存アプリに接続される他のサーバとは異なるサーバに格納され、専用のセキュリティポリシーに従った管理を行うことできるため、認証情報の外部への流出を抑制することができる。
【００１１】
また、他の実施形態は、携帯端末及び該携帯端末が実行する施解錠方法として実現可能である。
【発明の効果】
【００１２】
上述の実施形態によれば、複数のユーザが異なる時間帯に同一の車両や施設を利用する際の利用予約を既存のアプリから受け付ける場合に、車両又は施設の施錠及び解錠に用いる認証情報の外部への流出を抑制することが可能な施解錠システム等を提供することができる。
【図面の簡単な説明】
【００１３】
【図１】施解錠システムの構成の一例を概略的に示すブロック図である。
【図２】施解錠装置及びキーユニットの構成の一例を概略的に示す構成図である。
【図３】施解錠システムの動作を概念的に説明する概念図である。
【図４】施解錠システムの動作の一例を示すシーケンス図である。
【発明を実施するための形態】
【００１４】
以下、図面を参照して発明を実施するための形態について説明する。
【００１５】
まず、図１、図２を参照して、本実施形態に係る施解錠システム１の構成について説明する。
【００１６】
図１は、本実施形態に係る施解錠システム１の構成の一例を概略的に示すブロック図である。図２は、車両１０に含まれる施解錠装置１１及びキーユニット１２の構成の一例を概略的に示すブロック図である。
【００１７】
施解錠システム１は、車両１０、携帯端末２０、センタサーバ３０を含む。また、施解錠システム１に関連する構成としてサードパーティサーバ５０を含む。
【００１８】
車両１０は、施解錠システム１における施解錠（施錠及び解錠）の対象である。車両１０は、施解錠装置１１、キーユニット１２を含む。
【００１９】
尚、本実施形態に係る車両１０は、複数のユーザによる異なる時間帯での利用が可能なレンタカー、シェアカー（事業者提供、個人提供の別を問わない）、組織内の社用車等を想定する。
【００２０】
施解錠装置１１は、キーユニット１２からＲＦ（Radio Frequency：高周波）帯（例えば、３００ＭＨｚ〜３ＧＨｚ）の電波（以下、「ＲＦ電波」と称する）として送信される施錠信号及び解錠信号（共に第２の要求の一例）に応じて、車両１０のドアの施錠及び解錠を行う。施解錠装置１１は、ＬＦ（Low Frequency：低周波）電波送信機１１１、ＲＦ電波受信機１１２、照合ＥＣＵ（Electronic Control Unit）１１３、ボディＥＣＵ１１４、ドアロックモータ１１５を含む。
【００２１】
尚、施解錠装置１１は、車両１０に搭載される補機バッテリ（不図示）から供給される電力で作動する。
【００２２】
ＬＦ電波送信機１１１は、例えば、車室内のセンターコンソールやドアハンドルに内蔵され、照合ＥＣＵ１１３（後述するＬＦ送信処理部１１３１）の制御下において、ＬＦ帯（例えば、３０Ｈｚ〜３００ｋＨｚ）の電波（以下、「ＬＦ電波」と称する）を送信する。
【００２３】
ＲＦ電波受信機１１２は、例えば、車両１０の荷室のトリム内に設けられ、照合ＥＣＵ１１３（後述するＲＦ受信処理部１１３２）の制御下において、ＲＦ電波を受信する。
【００２４】
照合ＥＣＵ１１３は、キーユニット１２から受信する施錠信号及び解錠信号に応じて、車両１０のドアの施錠及び解錠に関する制御を行う電子制御ユニットである。照合ＥＣＵ１１３は、例えば、マイクロコンピュータを中心に構成され、ＲＯＭに格納されるプログラムをＣＰＵ上で実行することにより各種制御処理を実現する。照合ＥＣＵ１１３は、ＣＰＵ上で１つ以上のプログラムを実行することにより実現される機能部として、ＬＦ送信処理部１１３１、ＲＦ受信処理部１１３２、認証処理部１１３３、施解錠制御部１１３４を含む。また、照合ＥＣＵ１１３は、内部メモリの記憶領域として実現される記憶部１１３５を含む。
【００２５】
ＬＦ送信処理部１１３１は、ＬＦ電波送信機１１１を通じてＬＦ電波を車室内及び車室外に送信する処理を行う。
【００２６】
ＲＦ受信処理部１１３２は、ＲＦ電波受信機１１２を通じてＲＦ電波を受信する処理を行う。具体的には、ＲＦ受信処理部１１３２は、キーユニットからＲＦ電波として送信される施錠信号及び解錠信号を受信する。
【００２７】
認証処理部１１３３は、ＲＦ受信処理部１１３２が施錠信号或いは解錠信号を受信した場合、施錠信号或いは解錠信号に含まれる鍵情報（後述する鍵情報１２４５ｂ）に基づき、認証を行う。具体的には、認証処理部１１３３は、記憶部１１３５に予め登録される鍵情報１１３５ａと、施錠信号或いは解錠信号に含まれる鍵情報が一致する場合、認証成功と判断し、一致しない場合、認証失敗と判断する。
【００２８】
施解錠制御部１１３４は、認証処理部１１３３による認証が成功した場合、ＣＡＮ（Controller Area Network）等の車載ネットワークを通じて、ボディＥＣＵ１１４に施錠指令（ＲＦ受信処理部１１３２が施錠信号を受信した場合）或いは解錠指令（ＲＦ受信処理部１１３２が解錠信号を受信した場合）を送信する。
【００２９】
ボディＥＣＵ１１４は、１対１の通信線等により通信可能に接続されるドアロックモータ１１５の作動制御を行う電子制御ユニットである。ボディＥＣＵ１１４は、照合ＥＣＵ１１３からの施錠指令に応じて、ドアロックモータ１１５に施錠動作を行わせる制御指令を出力する。また、ボディＥＣＵ１１４は、照合ＥＣＵ１１３からの解錠指令に応じて、ドアロックモータ１１５に解錠動作を行わせる制御指令を出力する。
【００３０】
ドアロックモータ１１５は、ボディＥＣＵ１１４からの制御指令に応じて、車両１０のドア（トランクリッド、バックドア等を含む）を施錠及び解錠する既知の電動アクチュエータである。
【００３１】
キーユニット１２は、車両１０の内部（車室内）に配置され、携帯端末２０から送信される施錠要求及び解錠要求（共に第１の要求の一例）のそれぞれに応じて、施解錠装置１１にＲＦ電波として施錠信号及び解錠信号を送信する。キーユニット１２は、ＬＦ電波受信機１２１、ＲＦ電波送信機１２２、通信機器１２３、キーＥＣＵ１２４を含む。
【００３２】
尚、キーユニット１２は、車両１０の各シートに着座したユーザから視認不可な位置（例えば、グローブボックスやセンタコンソールボックスの内部等）に配置されてよい。また、キーユニット１２は、車両１０に固定されていてもよいし、固定されていなくてもよい。また、キーユニット１２は、内蔵のボタン電池等により作動する態様でもよいし、車両１０に搭載される補機バッテリから供給される電力で作動する態様でもよい。
【００３３】
ＬＦ電波受信機１２１は、キーＥＣＵ１２４（後述するＬＦ受信処理部１２４１）の制御下において、ＬＦ電波を受信する処理を行う。
【００３４】
ＲＦ電波送信機１２２は、キーＥＣＵ１２４（後述するＲＦ送信処理部１２４２）の制御下において、ＲＦ電波を送信する処理を行う。
【００３５】
通信機器１２３は、キーＥＣＵ１２４による制御下において、所定の通信規格に従い、比較的近距離（車室内と車室外との間で通信可能な程度の距離）での携帯端末２０との通信を行う任意のデバイスである。通信機器１２３は、例えば、ＢＬＥ（Bluetooth（登録商標） Low Energy）通信規格に準拠して携帯端末２０と通信を行うＢＬＥ通信モジュールであってよい。以下、通信機器１２３で採用される通信規格がＢＬＥ通信に準拠する前提で説明を続ける。
【００３６】
尚、通信機器１２３は、通信可能距離が非常に短い近距離通信規格（例えば、ＮＦＣ（Near Field Communication）規格）に準拠した通信デバイスであってもよい。この場合、通信機器１２３は、車両１０の車室外のボディ表面に近い位置（例えば、ドアハンドルの内部）等に内蔵されてよい。これにより、通信機器１２３による通信可能な距離が非常に短い場合であっても、キーユニット１２（キーＥＣＵ１２４）は、車室外の携帯端末２０と通信することができる。
【００３７】
キーＥＣＵ１２４は、携帯端末２０から受信する施錠要求及び解錠要求のそれぞれに応じて、施解錠装置１１に対して、施錠信号及び解錠信号を送信する制御処理を行う電子制御ユニットである。キーＥＣＵ１２４は、例えば、マイクロコンピュータを中心に構成され、ＲＯＭに格納される各種プログラムをＣＰＵ上で実行することにより、各種制御処理を実現する。キーＥＣＵ１２４は、１つ以上のプログラムを実行することにより実現される機能部として、ＬＦ受信処理部１２４１、ＲＦ送信処理部１２４２、通信処理部１２４３、認証処理部１２４４を含む。また、キーＥＣＵ１２４は、例えば、内部メモリの記憶領域として実現される記憶部１２４５を含む。
【００３８】
ＬＦ受信処理部１２４１は、ＬＦ電波受信機１２１を通じてＬＦ電波を受信する処理を行う。例えば、ＬＦ受信処理部１２４１は、施解錠装置１１から送信されるＬＦ電波を受信する。
【００３９】
ＲＦ送信処理部１２４２は、ＲＦ電波送信機１２２を通じてＲＦ電波を送信する処理を行う。例えば、ＲＦ送信処理部１２４２は、認証処理部１２４４による認証が成功した場合、後述する鍵情報１２４５ｂを含む施錠信号（通信処理部１２４３が施錠要求を受信した場合）或いは解錠信号（通信処理部１２４３が解錠要求を受信した場合）を送信する処理を行う。
【００４０】
通信処理部１２４３は、通信機器１２３を通じて携帯端末２０との間での通信処理を行う。例えば、通信処理部１２４３は、通信機器１２３を通じて携帯端末２０から施錠要求及び解錠要求を受信する。また、通信処理部１２４３は、携帯端末２０からの施錠要求に応じて、施錠信号がＲＦ送信処理部１２４２から施解錠装置１１に送信された場合、認証処理部１２４４からの要求に応じて、車両１０が施錠された旨の通知（施錠通知）を携帯端末２０に送信する。これにより、携帯端末２０は、車両１０が施錠された旨を把握することができる。
【００４１】
認証処理部１２４４は、通信処理部１２４３が携帯端末２０から施錠要求或いは解錠要求を受信した場合、施錠要求或いは解錠要求に含まれる、キーユニット１２に対して固有に予め設定される、即ち、キーユニット１２に対応づけられたＢＬＥ認証情報（第１認証情報の一例）に基づく認証を行う。具体的には、認証処理部１２４４は、記憶部１２４５に予め登録されるＢＬＥ認証情報１２４５ａと、施錠要求或いは解錠要求に含まれるＢＬＥ認証情報が一致する場合、認証成功と判断し、一致しない場合、認証失敗と判断する。
【００４２】
また、認証処理部１２４４は、通信処理部１２４３が受信した解錠要求に対応する当該認証に成功した場合、キーユニット１２の電源をＯＮする。そして、認証処理部１２４４は、ＲＦ送信処理部１２４２に送信要求を送り、施解錠装置１１に解錠信号を送信する。
【００４３】
また、認証処理部１２４４は、通信処理部１２４３が受信した施錠要求に対応する当該認証に成功した場合、ＲＦ送信処理部１２４２に送信要求を送り、施解錠装置１１に施錠信号を送信し、その後、通信処理部１２４３に送信要求を送り、携帯端末２０に施錠通知を送信する。そして、認証処理部１２４４は、キーユニット１２の電源をＯＦＦする。
【００４４】
尚、キーユニット１２の電源がＯＦＦの状態であっても、消費電力が非常に小さい通信処理部１２４３、認証処理部１２４４等の機能は、利用可能な状態になっている。また、キーユニット１２の電源がＯＦＦからＯＮされると、例えば、消費電力が大きいＬＦ電波受信機１２１、ＲＦ電波送信機１２２等を利用可能な状態になる。
【００４５】
また、認証処理部１２４４は、当該認証に成功した場合、記憶部１２４５に記憶される鍵情報１２４５ｂを利用可能な状態に復元する処理を行う。鍵情報１２４５ｂは、例えば、アクセス不可の状態であったり、暗号化された状態であったり等により、施解錠装置１１における認証用途として利用できない状態で記憶される。そのため、認証処理部１２４４は、認証に成功した場合、鍵情報１２４５ｂをアクセス可能な状態に変更するための記憶部１２４５のアクセス権の変更を行ったり、ＢＬＥ認証情報に基づき、暗号化された鍵情報１２４５ｂを復号したり等する。これにより、ＲＦ送信処理部１２４２は、施解錠装置１１に対して、通常アクセス不可である鍵情報１２４５ｂにアクセスして鍵情報１２４５ｂを含む施錠信号及び解錠信号を送信したり、復号された鍵情報１２４５ｂを含む施錠信号及び解錠信号を送信したりすることができる。そのため、施解錠装置１１（具体的には、認証処理部１１３３）は、施錠信号及び解錠信号に含まれる鍵情報１２４５ｂに基づき、適切な認証を行うことできる。また、仮に、悪意の第三者がキーユニット１２を不正に入手するような事態が発生しても、キーユニット１２内の鍵情報１２４５ｂは、アクセス不可になっていたり、暗号化されていたり等するため、車両１０の盗難を抑制することができる。
【００４６】
携帯端末２０は、例えば、スマートフォン、タブレット端末等である。携帯端末２０は、所定の通信ネットワーク（例えば、多数の基地局を末端とする携帯電話網やインターネット網等）を通じてセンタサーバ３０、サードパーティサーバ５０と双方向に通信を行うことができる。携帯端末２０は、通信機器２１、２２、処理装置２３、タッチパネルディスプレイ（以下、単にディスプレイと称する）２４を含む。
【００４７】
通信機器２１は、通信機器１２３と同じ通信規格により、キーユニット１２との間で通信を行う任意のデバイスであり、例えば、ＢＬＥ通信モジュールである。
【００４８】
通信機器２２は、所定の通信ネットワークを通じてセンタサーバ３０及びサードパーティサーバ５０と通信を行う任意のデバイスである。
【００４９】
処理装置２３は、ＣＰＵ、補助記憶装置等を含み、１つ以上のプログラムをＣＰＵ上で実行することにより実現される機能部として、第１通信処理部２３１、第２通信処理部２３２、施解錠要求部２３３、サードパーティアプリ部２３４、認証情報消去部２３５を含む。また、処理装置２３は、補助記憶装置内の記憶領域として実現される記憶部２３６を含む。
【００５０】
第１通信処理部２３１は、通信機器２１を用いて、キーユニット１２と無線通信し、各種信号の送受信を行う。例えば、第１通信処理部２３１は、施解錠要求部２３３からの要求に応じて、キーユニット１２に施錠信号及び解錠信号を送信する。
【００５１】
第２通信処理部２３２（第１受信部の一例）は、通信機器２２を用いて基地局と無線通信し、データ信号や制御信号等の各種信号を送受信する。本実施形態では、第２通信処理部２３２は、基地局を末端とする携帯電話網やインターネット網を通じてセンタサーバ３０、サードパーティサーバ５０との間で各種信号の送受信を行う。例えば、第２通信処理部２３２は、施解錠要求部２３３からの要求に応じて、センタサーバ３０にＢＬＥ認証情報を要求する信号を送信すると共に、センタサーバ３０から送信されるＢＬＥ認証情報を含む信号を受信する。第２通信処理部２３２により受信されたＢＬＥ認証情報は、記憶部２３６に記憶される。また、第２通信処理部２３２は、施解錠要求部２３３からの要求に応じて、車両１０の利用許可を要求する信号をセンタサーバ３０に送信すると共に、センタサーバ３０から車両１０の利用許可信号を受信する。「車両１０の利用」は、車両１０を解錠すること、車両１０に乗車すること、車両１０をイグニッションオンすること、及び車両１０を運転操作し走行させること等を含む。また、第２通信処理部２３２は、サードパーティアプリ部２３４からの要求に応じて、サードパーティサーバ５０に車両１０のスケジュール情報の開示を要求する信号を送信すると共に、サードパーティサーバ５０から参照データとしての車両１０のスケジュール情報を受信する。また、第２通信処理部２３２は、サードパーティアプリ部２３４からの要求に応じて、車両１０を利用予約するための各種要求や車両１０の利用に関する決済処理の要求等をサードパーティサーバ５０に送信する。
【００５２】
施解錠要求部２３３（第２送信部の一例）は、ディスプレイ２４に操作画面として表示されるＧＵＩ（Graphical User Interface）に対する所定の操作（第２の操作）に応じて、ＢＬＥ認証情報を含む施錠要求（第２の信号）或いはＢＬＥ認証情報を含む解錠要求（第２の信号）を、第１通信処理部２３１を介して、キーユニット１２に送信する。例えば、ディスプレイ２４のＧＵＩには、車両１０の施錠を要求する施錠ボタンと、解錠を要求する解錠ボタンが描画され、施錠ボタンをタッチ操作することにより、施錠要求が送信され、解錠ボタンをタッチ操作することにより、解錠要求が送信される。
【００５３】
尚、施錠要求及び解錠要求をキーユニット１２に送信するための操作は、ディスプレイ２４に対するタッチ操作ではなく、携帯端末２０に設けられるハードウェアの操作部に対する操作であってもよい。また、記憶部２３６にＢＬＥ認証情報が記憶されていない場合（即ち、センタサーバ３０からＢＬＥ認証情報を受信していない場合や認証情報消去部２３５によりＢＬＥ認証情報が消去された場合等）において、施錠信号及び解錠信号には、ＢＬＥ認証情報が含まれない。そのため、かかる施錠信号及び解錠信号がキーユニット１２に送信されても、車両１０のドアを施錠したり解錠したりすることはできない。また、記憶部２３６にＢＬＥ認証情報が記憶されていない場合、施錠信号及び解錠信号が送信されないようにしてもよい。
【００５４】
また、施解錠要求部２３３（第１送信部の一例）は、当該ＧＵＩに対する所定の操作（第１の操作）に応じて、ＢＬＥ認証情報を要求する信号（認証情報要求信号）を、第２通信処理部２３２を介して、センタサーバ３０に送信する。例えば、ディスプレイ２４のＧＵＩには、ユーザの識別情報、パスワード、利用予約した車両１０の利用日時等の入力欄と、送信ボタンが描画され、必要事項を入力した上で、送信ボタンをタッチ操作することにより、認証情報要求信号（第１の信号）がセンタサーバ３０に送信される。
【００５５】
尚、利用予約した車両１０の利用予約日時に関する情報は、サードパーティアプリ部２３４における車両１０の利用予約機能に基づき、自動的に入力される態様であってもよい。
【００５６】
また、施解錠要求部２３３は、車両１０の利用開始時（初めて車両１０の解錠を行う前）に、当該ＧＵＩに対するユーザの所定の操作（第３の操作）に応じて、携帯端末２０の位置情報を含む車両１０の利用許可を要求する信号を、第２通信処理部２３２を介して、センタサーバ３０に送信する。これにより、センタサーバ３０の車両利用管理部３２２は、該信号を受信し、該信号に含まれる携帯端末２０の位置情報に基づき、ユーザが車両１０の駐車位置に到着している旨を確認することができる。そして、車両利用管理部３２２は、車両１０の利用開始日時の直前或いは利用予約日時内であることを確認し、携帯端末２０に利用許可信号を送信する。
【００５７】
尚、施解錠要求部２３３は、例えば、ユーザが車両１０の駐車位置に到着し且つ車両１０の利用開始日時の直前或いは利用予約日時内であると判断した場合、自動的に、車両１０の利用許可を要求する信号をセンタサーバ３０に送信してもよい。また、携帯端末２０は、既知のＧＰＳ測位機能及び基地局測位機能を有し、かかる測位機能を用いて、携帯端末２０の位置情報を取得することができる。
【００５８】
本実施形態では、施解錠要求部２３３の機能は、例えば、後述するＳＤＫ（Software Development Kit）の形で、サードパーティアプリ部２３４に組み込まれる。そのため、施解錠要求部２３３の機能を実現するための当該ＧＵＩは、サードパーティアプリ部２３４によりディスプレイ２４に表示される。そして、当該ＧＵＩ上で、上述した所定の操作（第１の操作、第２の操作、及び第３の操作）が行われた場合、施解錠要求部２３３は、サードパーティアプリ部２３４から呼び出されて、上述した施解錠要求部２３３の各機能が実現される。即ち、サードパーティアプリ部２３４の実行中に、当該ＧＵＩに対するユーザの所定の操作（第１の操作）が行われた場合、施解錠要求部２３３は、サードパーティアプリ部２３４からの呼び出しに応じて、認証情報要求信号をセンタサーバ３０に送信する。また、サードパーティアプリ部２３４の実行中に、当該ＧＵＩに対するユーザの所定の操作（第２の操作）が行われた場合、施解錠要求部２３３は、サードパーティアプリ部２３４から呼び出しに応じて、施錠要求或いは解錠要求をキーユニット１２に送信する。また、サードパーティアプリ部２３４の実行中に、当該ＧＵＩに対するユーザの所定の操作（第３の操作）が行われた場合、施解錠要求部２３３は、サードパーティアプリ部２３４からの呼び出しに応じて、車両１０の利用許可を要求する信号をセンタサーバ３０に送信する。
【００５９】
サードパーティアプリ部２３４（サービス提供部の一例）は、携帯端末２０にインストールされる所定のアプリケーションプログラム（サードパーティアプリプログラム）を実行することにより実現される機能部である。サードパーティアプリ部２３４は、第２通信処理部２３２を通じて、サードパーティサーバ５０との間で通信を行うことにより、車両１０の施解錠機能とは異なる所定のサービス（例えば、カーシェアにおける車両１０の利用予約サービス、カーシェアにおける決済サービス等）を提供する。例えば、サードパーティアプリ部２３４は、ディスプレイ２４に操作画面としてのＧＵＩを表示させると共に、当該ＧＵＩに対するユーザの所定の操作に応じて、サードパーティサーバとの双方向通信により、車両１０の利用予約を行う。また、サードパーティアプリ部２３４は、当該ＧＵＩに対するユーザの所定の操作に応じて、サードパーティサーバ５０との双方向通信により、車両１０を利用するための決済処理等を行う。
【００６０】
尚、サードパーティアプリ部２３４は、サードパーティ、即ち、施解錠要求部２３３を実現するプログラムの提供及びセンタサーバ３０の管理を行う自組織とは異なる第三者ではなく、自組織が提供するプログラムにより実現される同様の機能部に置換されてもよい。かかる場合、サードパーティサーバ５０は、自組織が管理するサービス提供用のサーバに置換される。
【００６１】
認証情報消去部２３５は、第２通信処理部２３２を介してセンタサーバ３０から受信したＢＬＥ認証情報を記憶部２３６から消去する処理を行う。例えば、認証情報消去部２３５は、車両１０の利用終了日時を経過した場合、ＢＬＥ認証情報を消去する。これにより、携帯端末２０のユーザが利用予約日時以外で車両１０を利用可能になるような事態を防止できる。
【００６２】
尚、認証情報消去部２３５は、センタサーバ３０からＢＬＥ認証情報と共に送信される利用期限情報に基づき、車両１０の利用終了日時を確認することができる。
【００６３】
センタサーバ３０は、車両１０の利用状況の管理を行う。センタサーバ３０は、通信機器３１、管理装置３２を含む。
【００６４】
通信機器３１は、所定の通信ネットワークを通じて、携帯端末２０、サードパーティサーバ５０等と通信を行う任意のデバイスである。
【００６５】
管理装置３２は、１又は複数のコンピュータを中心に構成され、１つ以上のプログラムをＣＰＵ上で実行することにより実現される機能部として、通信処理部３２１、車両利用管理部３２２を含む。また、管理装置３２は、内部の補助記憶装置に格納されるユーザ情報ＤＢ３２４、認証情報ＤＢ３２５を含む。
【００６６】
通信処理部３２１（第２受信部の一例）は、通信機器３１を用いて、携帯端末２０との間で各種信号の送受信を行う。例えば、通信処理部３２１は、携帯端末２０からＢＬＥ認証情報を要求する信号（認証情報要求信号）を受信すると共に、該信号に対応する車両利用管理部３２２からの要求に応じて、ＢＬＥ認証情報を含む信号を携帯端末２０に送信する。また、通信処理部３２１は、携帯端末２０から車両１０の利用許可を要求する信号を受信すると共に、該信号に対応する車両利用管理部３２２からの要求に応じて、車両１０の利用許可信号を携帯端末２０に送信する。
【００６７】
車両利用管理部３２２（第３送信部の一例）は、通信処理部３２１が携帯端末２０から受信した認証情報要求信号に応じて、通信処理部３２１を介して、ＢＬＥ認証情報を携帯端末２０に送信する。例えば、車両利用管理部３２２は、認証情報要求信号に含まれるユーザの識別情報及びパスワードと、ユーザ情報ＤＢ３２４に予め登録されるユーザの識別情報及びパスワードが一致するか否かを照合する。車両利用管理部３２２は、一致する場合、正規のユーザであると判断し、認証情報ＤＢ３２５の中から、車両１０に搭載されているキーユニット１２に対応するＢＬＥ認証情報を取り出す。また、車両利用管理部３２２は、認証情報要求信号に含まれる車両１０の利用予約日時に関する情報に基づき、利用終了日時を抽出する。そして、車両利用管理部３２２は、通信処理部３２１を介して、ＢＬＥ認証情報及び該ＢＬＥ認証情報の利用期限情報（車両１０の利用終了日時）を含む信号を携帯端末２０に送信する。
【００６８】
ユーザ情報ＤＢ３２４には、予め登録された車両１０を利用する各ユーザの識別情報及び対応するパスワード等が格納される。
【００６９】
認証情報ＤＢ３２５には、キーユニット１２に固有の識別情報と紐付けられたＢＬＥ認証情報が格納される。
【００７０】
次に、図３を参照して、本実施形態に係る施解錠システム１の動作の概要について説明する。
【００７１】
尚、図３では、主要構成間の信号のやり取りを概念的に説明するため、通信機能を実現するハードウェア（通信機器２１，２２，３１，４１等）やソフトウェア（第１通信処理部２３１、第２通信処理部２３２、通信処理部３２１等）の図示を省略している。
【００７２】
ステップＳ６０１にて、サードパーティアプリ部２３４は、ディスプレイ２４に表示させるＧＵＩに対するユーザの所定の操作に応じて、サードパーティサーバ５０との双方向通信を行い、車両１０の利用予約を行う。
【００７３】
ステップＳ６０２にて、サードパーティアプリ部２３４は、当該ＧＵＩに対する所定の操作（第１の操作）が行われた場合、ＳＤＫとしてサードパーティアプリ部２３４に組み込まれた形で、携帯端末２０にインストールされる施解錠要求部２３３を呼び出す。
【００７４】
ステップＳ６０３にて、ＳＤＫ（施解錠要求部２３３）は、車両利用管理部３２２を呼び出すＡＰＩ（Application Programming Interface）３２７を利用して、ＢＬＥ認証情報を要求する信号（認証情報要求信号）を車両利用管理部３２２に送信する。これにより、車両利用管理部３２２が呼び出されて、車両利用管理部３２２は、認証情報要求信号に含まれるユーザの識別情報及びパスワードと、ユーザ情報ＤＢ３２４に予め登録される識別情報及びパスワードとの照合を行う。そして、車両利用管理部３２２は、双方が一致する場合、車両１０の内部に配置されるキーユニット１２に対応するＢＬＥ認証情報を認証情報ＤＢ３２５から取り出し、ＡＰＩ３２７を利用して、ＳＤＫ（施解錠要求部２３３）に送信する。これにより、ＢＬＥ認証情報は、記憶部２３６に記憶される。
【００７５】
尚、ＳＤＫとしての施解錠要求部２３３が呼び出されても、携帯端末２０では、サードパーティアプリ部２３４の実行が継続し、サードパーティアプリ部２３４が表示させるＧＵＩのディスプレイ２４への表示が継続される。
【００７６】
ステップＳ６０４にて、サードパーティアプリ部２３４は、当該ＧＵＩに対してユーザの所定の操作（第２の操作）が行われた場合、ＳＤＫ（施解錠要求部２３３）を呼び出す。
【００７７】
ステップＳ６０５にて、ＳＤＫ（施解錠要求部２３３）は、ＢＬＥ認証情報を含む施錠要求及び解錠要求をキーユニット１２に送信する。これにより、ユーザは、サードパーティアプリ部２３４のＧＵＩから離脱することなく、上述の如く、キーユニット１２を介して、施解錠装置１１を作動させ、車両１０の施錠及び解錠を行うことができる。
【００７８】
次に、図４を参照して、本実施形態に係る施解錠システム１の動作の具体例について説明する。
【００７９】
まず、ステップＳ７０２〜Ｓ７０８は、車両１０の利用予約からＢＬＥ認証情報が携帯端末２０に送信されるまでの一連の動作を表す。
【００８０】
ステップＳ７０２にて、携帯端末２０のサードパーティアプリ部２３４は、ユーザの所定の操作（例えば、ディスプレイ２４に表示されるサードパーティアプリのアイコンへのタッチ操作）に応じて、起動する。
【００８１】
ステップＳ７０４にて、携帯端末２０のサードパーティアプリ部２３４は、ディスプレイ２４に表示させるＧＵＩに対する所定の操作に応じて、サードパーティサーバ５０との双方向通信を行い、車両１０の利用予約を行う。
【００８２】
ステップＳ７０６にて、携帯端末２０のサードパーティアプリ部２３４は、ディスプレイ２４に表示させるＧＵＩに対する所定の操作（第１の操作）に応じて、施解錠要求部２３３を呼び出す。そして、呼び出された施解錠要求部２３３は、ＢＬＥ認証情報を要求する信号（認証情報要求信号）をセンタサーバ３０に送信する。これにより、センタサーバ３０は、認証情報要求信号を受信する。
【００８３】
ステップＳ７０８にて、センタサーバ３０のサードパーティアプリ部２３４は、認証情報要求信号に含まれるユーザの識別情報及びパスワードに基づくユーザ認証を行った上で、車両１０の内部に配置されるキーユニット１２に対応するＢＬＥ認証情報を携帯端末２０に送信する。
【００８４】
尚、車両利用管理部３２２は、車両１０の利用開始時間の直前（例えば、１０分前）にＢＬＥ認証情報を携帯端末２０に送信してもよい。これにより、車両１０の利用開始日時の前に、ユーザが車両１０を解錠し、車両１０が利用される事態を抑制できる。
【００８５】
続いて、ステップＳ７１０〜Ｓ７２０は、車両１０の利用開始時における一連の動作を表す。
【００８６】
ステップＳ７１０にて、携帯端末２０の施解錠要求部２３３は、ディスプレイ２４に表示させるＧＵＩに対するユーザの所定の操作に応じて、車両１０の利用許可を要求する信号を、第２通信処理部２３２を介してセンタサーバ３０に送信する。
【００８７】
ステップＳ７１２にて、センタサーバ３０の車両利用管理部３２２は、通信処理部３２１を介して、利用許可信号を携帯端末２０に送信する。これにより、携帯端末２０の施解錠要求部２３３は、第２通信処理部２３２を介して、利用許可信号を受信する。
【００８８】
尚、ステップＳ７０８の処理に応じて、携帯端末２０が受信するＢＬＥ認証情報は、暗号化されており、ステップＳ７１２の処理に応じて、携帯端末２０が受信する利用許可信号を用いて、復号される流れであってもよい。これにより、車両１０の利用開始日時の前に、ユーザが車両１０を解錠し、車両１０が利用される事態を抑制できる。
【００８９】
ステップＳ７１４にて、携帯端末２０の施解錠要求部２３３は、ディスプレイ２４に表示されるＧＵＩに対するユーザの所定の操作に応じて、サードパーティアプリ部２３４から呼び出されて、ＢＬＥ認証情報を含む解錠要求をキーユニット１２に送信する。これにより、キーユニット１２の通信処理部１２４３は、解錠要求を受信する。
【００９０】
ステップＳ７１６にて、キーユニット１２の認証処理部１２４４は、解錠要求に含まれるＢＬＥ認証情報に基づき、認証を行い、当該認証が成功すると、キーユニット１２の電源をＯＮする。
【００９１】
ステップＳ７１８にて、キーユニット１２の認証処理部１２４４は、ＲＦ送信処理部１２４２に送信要求を送り、該送信要求に応じて、ＲＦ送信処理部１２４２は、復元後の鍵情報を含む解錠信号を施解錠装置１１に送信する。これにより、施解錠装置１１のＲＦ受信処理部１１３２は、解錠信号を受信する。
【００９２】
ステップＳ７２０にて、施解錠装置１１の認証処理部１１３３は、解錠信号に含まれる鍵情報に基づき、認証を行い、当該認証が成功した場合、施解錠制御部１１３４は、ボディＥＣＵ１１４を介して、ドアロックモータ１１５を駆動し、車両１０のドアを解錠する。これにより、携帯端末２０のユーザは、車両１０に乗り込んで、車両１０を利用することができる。
【００９３】
続いて、ステップＳ７２２〜Ｓ７３６は、車両１０の利用終了時における一連の動作を表す。
【００９４】
ステップＳ７２２にて、携帯端末２０の施解錠要求部２３３は、ディスプレイ２４に表示されるＧＵＩに対するユーザの所定の操作に応じて、サードパーティアプリ部２３４から呼び出されて、ＢＬＥ認証情報を含む施錠要求をキーユニット１２に送信する。これにより、キーユニット１２の通信処理部１２４３は、施錠要求を受信する。
【００９５】
ステップＳ７２４にて、キーユニット１２の認証処理部１２４４は、施錠要求に含まれるＢＬＥ認証情報に基づき、認証を行う。
【００９６】
そして、該認証が成功すると、ステップＳ７２６にて、キーユニット１２の認証処理部１２４４は、ＲＦ送信処理部１２４２に送信要求を送り、該送信要求に応じて、ＲＦ送信処理部１２４２は、復元後の鍵情報を含む施錠信号を施解錠装置１１に送信する。これにより、施解錠装置１１のＲＦ受信処理部１１３２は、施錠信号を受信する。
【００９７】
ステップＳ７２８にて、施解錠装置１１の認証処理部１１３３は、施錠信号に含まれる鍵情報に基づき、認証を行い、当該認証に成功した場合、施解錠制御部１１３４は、ボディＥＣＵ１１４を介して、ドアロックモータ１１５を駆動し、車両１０のドアを施錠する。
【００９８】
一方、キーユニット１２の認証処理部１２４４は、ＲＦ送信処理部１２４２を介して、施解錠装置１１に施錠信号を送信すると、ステップＳ７３０にて、通信処理部１２４３に送信要求を送り、通信処理部１２４３は、携帯端末２０に施錠通知を送信する。
【００９９】
そして、キーユニット１２の認証処理部１２４４は、通信処理部１２４３を介して、携帯端末２０に施錠通知を送信すると、ステップＳ７３２にて、キーユニット１２の電源をＯＦＦする。
【０１００】
ステップＳ７３４にて、携帯端末２０の認証情報消去部２３５は、利用終了日時を経過すると、記憶部２３６内のＢＬＥ認証情報を消去する。
【０１０１】
ステップＳ７３６にて、携帯端末２０の認証情報消去部２３５は、第２通信処理部２３２に送信要求を送り、該送信要求に応じて、第２通信処理部２３２は、センタサーバ３０に利用終了通知を送信する。
【０１０２】
このように、本実施形態では、サードパーティアプリ部２３４は、センタサーバ３０と異なるサードパーティサーバ５０と通信し所定のサービス（車両１０の利用予約サービス）を提供する。また、施解錠要求部２３３は、サードパーティアプリ部２３４の実行中にディスプレイ２４に表示されるＧＵＩに対する所定の操作（第１の操作）が行われた場合、サードパーティアプリ部２３４から呼び出されて、第２通信処理部２３２を介して、センタサーバ３０に認証情報要求信号を送信する。また、施解錠要求部２３３は、サードパーティアプリ部２３４の実行中にサードパーティアプリ部２３４から呼び出されて、第２通信処理部２３２を介して、センタサーバ３０からＢＬＥ認証情報を受信する。また、施解錠要求部２３３は、サードパーティアプリ部２３４の実行中にディスプレイ２４に表示されるＧＵＩに対する所定の操作（第２の操作）が行われた場合、サードパーティアプリ部２３４から呼び出されて、第１通信処理部２３１Ａを介して、センタサーバ３０から受信したＢＬＥ認証情報を含む施錠要求（第２の信号）又は解錠要求（第２の信号）を車両１０（キーユニット１２）に送信する。従って、例えば、カーシェアの利用予約や決済等のサービスを提供するサードパーティが既に存在する場合、車両１０を携帯端末２０で施錠及び解錠するための機能の提供に特化して車両１０を用いたカーシェアを実現でき、コストや初期投資を抑制できる。また、サードパーティアプリを利用するユーザを取り込むことができるため、例えば、カーシェア事業への参入する場合等において、当該事業を一気に立ち上げ易くなる。また、携帯端末２０は、サードパーティサーバ５０ではなく、自組織のセンタサーバ３０から第１認証情報を取得する構成であるため、第三者（サードパーティ）に第１認証情報を開示することなく、第１認証情報を携帯端末２０に提供できる。また、例えば、コミュニケーションアプリを利用するユーザ同士の車両の貸し借り等のように、利用予約の厳密な管理まで必要ないような形態もあり得る。そのため、施解錠要求部２３３がコミュニケーションアプリに組み込まれた形で携帯端末２０にインストールされ、センタサーバ３０からＢＬＥ認証情報を取得可能とすることで、ユーザは、電子キーのやり取り等を行うことなく、気軽に車両の貸し借りを行うことができる。
【０１０３】
また、本実施形態では、携帯端末２０（施解錠要求部２３３）は、既存アプリであるサードパーティアプリ部２３４からの呼び出しに応じて、サードパーティアプリ部２３４が接続するサードパーティサーバ５０とは異なるセンタサーバ３０にＢＬＥ認証情報を要求する。そして、携帯端末２０（第２通信処理部２３２）は、センタサーバ３０からＢＬＥ認証情報を受信する。従って、ＢＬＥ認証情報は、既存アプリに接続されるサードパーティサーバ５０とは異なるセンタサーバ３０に格納され、専用のセキュリティポリシーに従った管理を行うことできるため、ＢＬＥ認証情報の外部への流出を抑制することができる。また、センタサーバ３０は、携帯端末２０からの認証情報要求信号に応じて、ＢＬＥ認証情報を携帯端末２０に送信する際、認証情報要求信号に含まれる携帯端末２０のユーザの識別情報に基づき、ユーザ認証を行う。そのため、サードパーティアプリを経由してセンタサーバ３０にアクセスされる場合であっても、セキュリティ性を保持することができる。
【０１０４】
以上、本発明を実施するための形態について詳述したが、本発明はかかる特定の実施形態に限定されるものではなく、特許請求の範囲に記載された本発明の要旨の範囲内において、種々の変形・変更が可能である。
【０１０５】
例えば、上述した実施形態では、携帯端末２０から車両１０に送信される施錠要求及び解錠要求は、キーユニット１２に送信されるが、施解錠装置１１に直接送信される態様であってもよい。即ち、携帯端末２０は、ＢＬＥ認証情報の代わりに鍵情報をセンタサーバ３０から受信し、鍵情報を含む解錠要求或いは施錠要求を施解錠装置１１に送信し、施解錠装置１１が当該解錠要求或いは施錠要求に応じて、認証を行い、車両１０の施錠或いは解錠構成を行う構成であってもよい。
【０１０６】
また、例えば、上述した実施形態では、施解錠及び利用予約の対象が車両であったが、複数のユーザが異なる時間帯に利用可能でありであり、且つ、施解錠可能な対象であれば、車両に限定されない。即ち、上述した実施形態における施解錠及び利用予約の対象である車両は、例えば、会議室、保養所、体育館等の施解錠可能な施設に置換されてもよい。これにより、上述した実施形態と同様、当該施設を利用するユーザの利便性を向上させることができる。
【符号の説明】
【０１０７】
１  施解錠システム
１０  車両
１１  施解錠装置
１２  キーユニット
２０  携帯端末
２１  通信機器
２２  通信機器
２３  処理装置
２４  ディスプレイ
３０  センタサーバ
３１  通信機器
３２  管理装置
５０  サードパーティサーバ
１１１  ＬＦ電波送信機
１１２  ＲＦ電波受信機
１１３  照合ＥＣＵ
１１４  ボディＥＣＵ
１１５  ドアロックモータ
１２１  ＬＦ電波受信機
１２２  ＲＦ電波送信機
１２３  通信機器
１２４  キーＥＣＵ
２３１  第１通信処理部
２３２  第２通信処理部
２３３  施解錠要求部
２３４  サードパーティアプリ部
２３５  認証情報消去部
２３６  記憶部
３２１  通信処理部
３２２  車両利用管理部
３２４  ユーザ情報ＤＢ
３２５  認証情報ＤＢ
１１３１  ＬＦ送信処理部
１１３２  ＲＦ受信処理部
１１３３  認証処理部
１１３４  施解錠制御部
１１３５  記憶部
１２４１  ＬＦ受信処理部
１２４２  ＲＦ送信処理部
１２４３  通信処理部
１２４４  認証処理部
１２４５  記憶部
【図１】
2018003331.tif 000003
【図２】
2018003331.tif 000004
【図３】
2018003331.tif 000005
【図４】
2018003331.tif 000006